【手続補正書】
【提出日】平成18年2月21日(2006.2.21)
【手続補正１】
【補正対象書類名】明細書
【補正対象項目名】特許請求の範囲
【補正方法】変更
【補正の内容】
【特許請求の範囲】
【請求項１】  基板上に複数の画素を含む表示領域を有する電気光学装置用
基板において、
前記基板上には前記画素毎に、反射層からなる光反射領域と前記反射層が
形成されない光透過領域とを具備し、前記反射層上に絶縁層が形成され、
前記表示領域には、前記絶縁層の有無若しくは厚さの変化により、前記光
透過領域の形成部位が低く構成された凹凸表面が構成され、
前記凹凸表面上に電極が配置され、
前記電極に接続された配線が設けられ、
前記配線は、前記絶縁層の上に配置された接続パッド部を有することを特徴と
する電気光学装置用基板。
【請求項２】  基板上に複数の画素を含む表示領域を有する電気光学装置用
基板において、
前記基板上には着色層が形成され、該着色層上に絶縁層が形成され、
前記絶縁層上に電極が配置され、
前記電極に接続された配線が設けられ、
前記配線は、前記絶縁層の上に配置された接続パッド部を有することを特徴と
する電気光学装置用基板。
【請求項３】  前記接続パッド部は、前記着色層上に配置されていることを
特徴とする請求項２に記載の電気光学装置。
【請求項４】  前記絶縁層上には平坦な表面部が形成され、該表面部上に前
記接続パッド部が形成されていることを特徴とする請求項１乃至３のいずれか一
項に記載の電気光学装置用基板。
【請求項５】  前記接続パッド部は、前記絶縁層における前記凹凸表面の高
い表面部位における厚さと略同一の厚さを有する部分の上に配置されていること
を特徴とする請求項１に記載の電気光学装置用基板。
【請求項６】  前記絶縁層は、前記基板上に順次に積層された第１絶縁層及
び第２絶縁層で構成され、前記表示領域には、前記第１絶縁層と前記第２絶縁層
の少なくとも一方が部分的に存在しないことにより前記凹凸表面が構成されてい
ることを特徴とする請求項１又は５に記載の電気光学装置用基板。
【請求項７】  前記接続パッド部は、前記第１絶縁層及び前記第２絶縁層の
上に配置されていることを特徴とする請求項６に記載の電気光学装置用基板。
【請求項８】  前記第１絶縁層は前記表示領域において全面的に形成され、
前記第２絶縁層が部分的に形成されていることにより前記凹凸表面が構成されて
いることを特徴とする請求項６又は７に記載の電気光学装置用基板。
【請求項９】  遮光層が構成され、前記接続パッド部は、前記遮光層の上に
配置されていることを特徴とする請求項１乃至９のいずれか一項に記載の電気光
学装置用基板。
【請求項１０】  一対の対向する電極の間に電気光学層が配置され、複数の
画素を含む表示領域を有する電気光学装置において、
前記電気光学層の一方側には基板が配置され、該基板上には前記画素毎に、
反射層からなる光反射領域と前記反射層が形成されない光透過領域とを具備し、
前記反射層上に絶縁層が配置され、
前記表示領域には、前記絶縁層の有無若しくは厚さの変化により、前記光透過
領域の形成部位が低く構成された凹凸表面が構成され、
前記凹凸表面上に電極が配置され、
前記電極に接続された配線が設けられ、
前記配線は、前記絶縁層の上に配置された接続パッド部を有し、
前記接続パッド部は、上下導通部を介して前記電気光学層の反対側に導電接続
されていることを特徴とする電気光学装置。
【請求項１１】  一対の電極の間に電気光学層が配置され、複数の画素を含
む表示領域を有する電気光学装置において、
前記電気光学層の一方側には基板が配置され、該基板上には着色層が形成され
、該着色層上に絶縁層が配置され、
前記絶縁層の上に電極が配置され、
前記電極に接続された配線が設けられ、
前記配線は、前記絶縁層の上に配置された接続パッド部を有し、
前記接続パッド部は、上下導通部を介して前記電気光学層の反対側に導電接続
されていることを特徴とする電気光学装置。
【請求項１２】  前記上下導通部は多数の導電体が基材中に分散配置されて
なる異方性導電材により構成され、該異方性導電材の形成領域には、複数の他方
の前記電極に接続された複数の配線が通過していることを特徴とする請求項１１
に記載の電気光学装置。
【請求項１３】  一対の対向する電極の間に電気光学層が配置され、複数の
画素を含む表示領域を有する電気光学装置の製造方法において、
基板上に前記画素毎に反射層からなる光反射領域を形成し、
前記反射層上に絶縁層を形成し、
前記絶縁層上に一方の前記電極及び該一方の電極に接続された配線を形成し、
前記配線には、前記絶縁層上に配置された接続パッド部を設け、
前記接続パッド部を、多数の導電体を基材中に分散させてなる異方性導電材を
介して前記電気光学層の反対側に導電接続させることを特徴とする電気光学装置
の製造方法。
【請求項１４】  一対の対向する電極の間に電気光学層が配置され、複数の
画素を含む表示領域を有する電気光学装置の製造方法において、
前記電気光学層の一方側に配置される基板上に着色層を形成し、該着色層上に
絶縁層を形成し、
前記絶縁層上に一方の前記電極及び該一方の電極に接続された配線を設け、
前記配線には、前記周辺領域において前記絶縁層上に接続パッド部を設け、
前記接続パッド部を、多数の導電体を基材中に分散させてなる異方性導電材を
介して前記電気光学層の反対側に導電接続させることを特徴とする電気光学装置
の製造方法。
【請求項１５】  請求項１０乃至１２のいずれか一項に記載の電気光学装置
と、該電気光学装置の制御手段とを有することを特徴とする電子機器。
【手続補正２】
【補正対象書類名】明細書
【補正対象項目名】００１７
【補正方法】変更
【補正の内容】
【００１７】
【課題を解決するための手段】
上記課題を解決するために本発明の電気光学装置用基板は、基板上に複数の画
素を含む表示領域を有する電気光学装置用基板において、前記基板上には前記画素毎に、反射層からなる光反射領域と前記反射層が形成されない光透過領域とを具備し、前記反射層上に絶縁層が形成され、前記表示領域には、前記絶縁層の有無若しくは厚さの変化により、前記光透過領域の形成部位が低く構成された凹凸表面が構成され、前記凹凸表面上に電極が配置され、前記電極に接続された配線が設けられ、前記配線は、前記絶縁層の上に配置された接続パッド部を有することを特徴とする。
【手続補正３】
【補正対象書類名】明細書
【補正対象項目名】００３４
【補正方法】変更
【補正の内容】
【００３４】
次に、本発明に係る電気光学装置は、一対の対向する電極の間に電気光学層が
配置され、複数の画素を含む表示領域を有する電気光学装置において、前記電気光学層の一方側には基板が配置され、該基板上には前記画素毎に、反射層からなる光反射領域と前記反射層が形成されない光透過領域とを具備し、前記反射層上に絶縁層が配置され、
前記表示領域には、前記絶縁層の有無若しくは厚さの変化により、前記光透過領域の形成部位が低く構成された凹凸表面が構成され、前記凹凸表面上に電極が配置され、前記電極に接続された配線が設けられ、前記配線は、前記絶縁層の上に配置された接続パッド部を有し、前記接続パッド部は、上下導通部を介して前記電気光学層の反対側に導電接続されていることを特徴とする。
【手続補正４】
【補正対象書類名】明細書
【補正対象項目名】００４０
【補正方法】変更
【補正の内容】
【００４０】
次に、本発明に係る電気光学装置の製造方法は、一対の対向する電極の間に電
気光学層が配置され、複数の画素を含む表示領域を有する電気光学装置の製造方
法において、基板上に前記画素毎に反射層からなる光反射領域を形成し、前記反
射層上に絶縁層を形成し、前記絶縁層上に一方の前記電極及び該一方の電極に接
続された配線を形成し、前記配線には、前記絶縁層上に配置された接続パッド部
を設け、前記接続パッド部を、多数の導電体を基材中に分散させてなる異方性導
電材を介して前記電気光学層の反対側に導電接続させることを特徴とする。